(57)【要約】【課題】撮影時間に合わせて画像を再生するようなシーケンスで、撮影頻度に片寄りがある画像データを再生する際にも、ユーザーを退屈させないようにした再生装置、再生方法およびプログラムを提供する。【解決手段】画面時間の経過に沿って、撮影日時に対応した画像を再生する再生装置であって、一定期間の間、再生する画像が存在しない場合には、画面時間の該当日の天気情報を取得し、この天気情報に基づいて天気画像を作成し、表示する。該当日の天気情報が雪の場合には、雪シンボルＷ１ａを含む雪画像Ｗ１を表示する。雪シンボルＷ１ａは画面上で上から下に動くアニメーション表示され、雪が降っている雰囲気を醸し出す。  【選択図】  図６
2009027334.tif 000002
【特許請求の範囲】
【請求項１】
画像を含むコンテンツを再生するための画面時間を管理する時間管理部と、
上記画面時間を示す時間画像を作成する時間画像作成部と、
上記画像のコンテンツから対応するコンテンツ画像を作成するコンテンツ画像作成部と、
上記画面時間に対応する天気情報に関する画像を作成する天気画像作成部と、
上記作成された時間画像の再生を管理すると共に、上記コンテンツ画像をその撮影日時に応じて上記画面時間上でのタイミングで再生するよう管理する再生管理部と、
を備え、
上記再生管理部は、一定期間コンテンツ画像を表示しないときは、コンテンツ画像の代わりに上記天気情報に関する画像を再生するよう管理することを特徴とする再生装置。
【請求項２】
外部のデータベースに記憶されたコンテンツの中から上記天気情報を入手するコンテンツ検索部を備え、
上記天気画像作成部は、上記天気情報に関する画像を上記入手した天気情報に基づき作成することを請求項１に記載の再生装置。
【請求項３】
効果音を再生する音声再生部を備え、
上記再生管理部は、上記天気情報に関する画像と共にその天気に対応する効果音を音声再生部から再生することを特徴とする請求項１に記載の再生装置。
【請求項４】
上記天気画像作成部は、上記天気情報に関する画像として、天気を表現するアニメーション画像を作成することを特徴とする請求項１に記載の再生装置。
【請求項５】
画像を含むコンテンツを再生するための画面時間を管理する時間管理部と、
上記画像のコンテンツから対応するコンテンツ画像を作成するコンテンツ画像作成部と、
上記画面時間に対応する情報に関する画像を作成する対応情報画像作成部と、
上記コンテンツ画像をその撮影日時に応じて上記画面時間上でのタイミングで再生するよう管理すると共に、一定期間コンテンツ画像を表示しないときは、コンテンツ画像の代わりに上記対応情報に関する画像を再生するよう管理する再生管理部と、
を備えることを特徴とする再生装置。
【請求項６】
上記画面時間を示す時間画像を作成する時間画像作成部を有し、上記再生管理部は、上記時間画像の表示を行なうことを特徴とする請求項５に記載の再生装置。
【請求項７】
外部データベースに接続するための通信部を有し、上記画面時間に対応する情報は上記外部データベースより取得することを特徴とする請求項５に記載の再生装置。
【請求項８】
上記画面時間に対応する情報は、天気に関する情報、ニュース、スポーツに関する情報の少なくともいずれか１つを含むものであることを特徴とする請求項５に記載の再生装置。
【請求項９】
上記時間管理部は、日単位または月単位で時間管理を行なうことを特徴とする請求項５に記載の再生装置。
【請求項１０】
画面時間を管理しながら、画像を含むコンテンツを再生する再生方法において、
上記画面時間を示す時間画像を作成し、
上記画像のコンテンツから対応するコンテンツ画像を作成し、
上記画面時間に対応する天気情報に関する画像を作成し、
上記作成された時間画像の再生を管理すると共に、上記コンテンツ画像をその撮影日時に応じて上記画面時間上でのタイミングで再生するよう管理し、その際、一定期間コンテンツ画像を表示しないときは、コンテンツ画像の代わりに上記天気情報に関する画像を再生するよう管理する、
ことを特徴とする再生方法。
【請求項１１】
画像を含むコンテンツを再生するための画面時間に基づいてコンテツを再生する再生方法において、
上記画像のコンテンツから対応するコンテンツ画像を作成し、または、上記画面時間に対応する情報に関する画像を作成し、
コンテンツ画像を表示しないとき期間が一定期間あるか否か判定し、
上記判定の結果、上記一定期間の間に、コンテンツ画像を表示することがある場合には、上記コンテンツ画像をその撮影日時に応じて上記画面時間上でのタイミングで再生し、一方判定の結果、上記一定期間の間、コンテンツ画像を表示することがない場合には、コンテンツ画像の代わりに上記対応情報に関する画像を再生する、
ことを特徴とする再生方法。
【請求項１２】
画面時間を管理しながら、画像を含むコンテンツを再生するプログラムにおいて、
上記画面時間を示す時間画像を作成し、
上記画像のコンテンツから対応するコンテンツ画像を作成し、
上記画面時間に対応する天気情報に関する画像を作成し、
上記作成された時間画像の再生を管理すると共に、上記コンテンツ画像をその撮影日時に応じて上記画面時間上でのタイミングで再生するよう管理し、その際、一定期間コンテンツ画像を表示しないときは、コンテンツ画像の代わりに上記天気情報に関する画像を再生するよう管理する、
ことを特徴とするプログラム。
【請求項１３】
画像を含むコンテンツを再生するための画面時間に基づいてコンテツを再生するプログラムにおいて、
上記画像のコンテンツから対応するコンテンツ画像を作成し、または、上記画面時間に対応する情報に関する画像を作成し、
コンテンツ画像を表示しないとき期間が一定期間あるか否か判定し、
上記判定の結果、上記一定期間の間に、コンテンツ画像を表示することがある場合には、上記コンテンツ画像をその撮影日時に応じて上記画面時間上でのタイミングで再生し、一方判定の結果、上記一定期間の間、コンテンツ画像を表示することがない場合には、コンテンツ画像の代わりに上記対応情報に関する画像を再生する、
ことを特徴とするプログラム。
【請求項１４】
上記画面時間を示す時間画像を作成し、上記コンテンツ画像または上記画面時間に対応する情報に関する画像と共に再生することを特徴とする請求項１３に記載のプログラム。
【請求項１５】
外部データベースに接続し、上記画面時間に対応する情報を上記外部データベースより取得することを特徴とする請求項１３に記載のプログラム。
【請求項１６】
上記画面時間に対応する情報は、天気に関する情報、ニュース、スポーツに関する情報の少なくともいずれか１つを含むものであることを特徴とする請求項１３に記載のプログラム。
【請求項１７】
上記画面時間の管理は、日単位または月単位で時間管理を行なうことを特徴とする請求項１３に記載のプログラム。
【請求項１８】
画面時間に基づいてコンテツを再生するプログラムにおいて、
ユーザー作成のデータから再生用コンテンツを作成し、または、上記画面時間に対応する情報に基づいてコンテンツを作成し、
再生用コンテンツを表示しない期間が一定期間あるか否か判定し、
上記判定の結果、上記一定期間の間に、再生用コンテンツを再生することがある場合には、上記再生用コンテンツをその作成日時に応じて上記画面時間上でのタイミングで再生し、一方判定の結果、上記一定期間の間、再生用コンテンツを再生することがない場合には、再生用コンテンツの代わりに上記画面時間に対応する情報に基づいてコンテンツを作成しこれを再生する、
ことを特徴とするプログラム。
【発明の詳細な説明】
【技術分野】
【０００１】
本発明は、画像等のコンテンツを再生するための再生装置、再生方法およびプログラムに関する。
【背景技術】
【０００２】
近年、デジタルカメラ等で撮影した画像を鑑賞するにあたって、従来のような写真プリントからパーソナルコンピュータ等の再生装置を用いての鑑賞が広く行なわれるようになってきている。再生装置を利用しての画像鑑賞としては、特定の画像を再生するのではなく、画像を切り替えながら、順次再生することがしばしば行なわれており、その中でも、撮影順番に従って静止画を一定時間（例えば、２秒）再生して次に切り替わるスライドショーは、広く利用されている。このスライドショーは、切り替え操作の手間がかからず、友人とおしゃべりしながら、また他の用事をしながらでも横目で楽しむことができ大変便利である。
【０００３】
また、スライドショーの楽しみ方として、特許文献１には、撮影画像を、撮影の時間的順番で表示する画像処理装置が開示されている。すなわち、この画像処理装置においては、頻繁に撮影された画像は相対的に素早く切り替わりながら次々に画面が再生され、逆に間が空いて撮影された画像は比較的長く画面に表示される。
【特許文献１】特開２００６−２６１９３３号公報
【０００４】
さらに、最近では、インターネットを通じて画像データだけではなく、音楽データ、文書データ等の様々なカテゴリのデータを簡単に入手できる環境となってきている。また、再生装置においても、画像データのみならず、音声データ等のマルチメディアの記録再生を行なう電子機器が提案されている（特許文献２参照）。この特許文献２に開示された電子機器では、再生可能なコンテンツの一覧表を、再生中の画面に重畳して表示し、使い勝手を向上させている。
【特許文献２】特開２００５−５１５００号公報
【発明の開示】
【発明が解決しようとする課題】
【０００５】
特許文献１に開示の画像処理装置によれば、撮影間隔に応じて再生するので、時間的な違和感を減らすことができる。しかし、撮影間隔は個人によって大きな差があり、毎日のように写真撮影する人もいるが、大概のユーザーは、旅行、運動会、記念日等のような何らかのイベントがあったときに写真撮影するのが一般的である。このため、１年のうちで撮影日が数日ある程度である。
【０００６】
このように月や季節によって撮影頻度が大きく片寄るような画像データに対して、特許文献１に開示の画像処理装置のような再生シーケンスでは、何ら画像が再生されないか、あるいは同じ画像が長時間に亘って再生され続けるような退屈な場面が続いてしまう。また、特許文献２に開示の電子機器では、単にマルチコンテンツの一覧表が表示されるだけで、両者を組み合わせたとしても、撮影頻度に片寄りのある画像データが再生されない場合には、退屈な場面であることには変わりがない。
【０００７】
本発明は、このような事情を鑑みてなされたものであり、撮影時間に合わせて画像を再生するようなシーケンスで、撮影頻度に片寄りがある画像データを再生する際にも、ユーザーを退屈させないようにした再生装置、再生方法およびプログラムを提供することを目的とする。
【課題を解決するための手段】
【０００８】
上記目的を達成するため第１の発明に係わる再生装置は、画像を含むコンテンツを再生するための画面時間を管理する時間管理部と、上記画面時間を示す時間画像を作成する時間画像作成部と、上記画像のコンテンツから対応するコンテンツ画像を作成するコンテンツ画像作成部と、上記画面時間に対応する天気情報に関する画像を作成する天気画像作成部と、上記作成された時間画像の再生を管理すると共に、上記コンテンツ画像をその撮影日時に応じて上記画面時間上でのタイミングで再生するよう管理する再生管理部を備え、上記再生管理部は、一定期間コンテンツ画像を表示しないときは、コンテンツ画像の代わりに上記天気情報に関する画像を再生するよう管理する。
【０００９】
第２の発明に係わる再生装置は、上記第１の発明において、外部のデータベースに記憶されたコンテンツの中から上記天気情報を入手するコンテンツ検索部を備え、上記天気画像作成部は、上記天気情報に関する画像を上記入手した天気情報に基づき作成する。
また、第３の発明に係わる再生装置は、上記第１の発明において、効果音を再生する音声再生部を備え、上記再生管理部は、上記天気情報に関する画像と共にその天気に対応する効果音を音声再生部から再生する。
さらに、第４の発明に係わる再生装置は、上記第１の発明において、上記天気画像作成部は、上記天気情報に関する画像として、天気を表現するアニメーション画像を作成する。
【００１０】
上記目的を達成するため第５の発明に係わる再生装置は、画像を含むコンテンツを再生するための画面時間を管理する時間管理部と、上記画像のコンテンツから対応するコンテンツ画像を作成するコンテンツ画像作成部と、上記画面時間に対応する情報に関する画像を作成する対応情報画像作成部と、上記コンテンツ画像をその撮影日時に応じて上記画面時間上でのタイミングで再生するよう管理すると共に、一定期間コンテンツ画像を表示しないときは、コンテンツ画像の代わりに上記対応情報に関する画像を再生するよう管理する再生管理部を備える。
【００１１】
さらに、第６の発明に係わる再生装置は、上記第５の発明において、上記画面時間を示す時間画像を作成する時間画像作成部を有し、上記再生管理部は、上記時間画像の表示を行なう。
さらに、第７の発明に係わる再生装置は、上記第５の発明において、外部データベースに接続するための通信部を有し、上記画面時間に対応する情報は上記外部データベースより取得する。
さらに、第８の発明に係わる再生装置は、上記第５の発明において、上記画面時間に対応する情報は、天気に関する情報、ニュース、スポーツに関する情報の少なくともいずれか１つを含むものである。
さらに、第９の発明に係わる再生装置は、上記第５の発明において、上記時間管理部は、日単位または月単位で時間管理を行なう。
【００１２】
上記目的を達成するため第１０の発明に係わる再生方法は、画面時間を管理しながら、画像を含むコンテンツを再生する再生方法において、上記画面時間を示す時間画像を作成し、上記画像のコンテンツから対応するコンテンツ画像を作成し、上記画面時間に対応する天気情報に関する画像を作成し、上記作成された時間画像の再生を管理すると共に、上記コンテンツ画像をその撮影日時に応じて上記画面時間上でのタイミングで再生するよう管理し、その際、一定期間コンテンツ画像を表示しないときは、コンテンツ画像の代わりに上記天気情報に関する画像を再生するよう管理する。
【００１３】
上記目的を達成するため第１１の発明に係わる再生方法は、画像を含むコンテンツを再生するための画面時間に基づいてコンテツを再生する再生方法において、上記画像のコンテンツから対応するコンテンツ画像を作成し、または、上記画面時間に対応する情報に関する画像を作成し、コンテンツ画像を表示しないとき期間が一定期間あるか否か判定し、上記判定の結果、上記一定期間の間に、コンテンツ画像を表示することがある場合には、上記コンテンツ画像をその撮影日時に応じて上記画面時間上でのタイミングで再生し、一方判定の結果、上記一定期間の間、コンテンツ画像を表示することがない場合には、コンテンツ画像の代わりに上記対応情報に関する画像を再生する。
【００１４】
上記目的を達成するため第１２の発明に係わるプログラムは、画面時間を管理しながら、画像を含むコンテンツを再生するプログラムにおいて、上記画面時間を示す時間画像を作成し、上記画像のコンテンツから対応するコンテンツ画像を作成し、上記画面時間に対応する天気情報に関する画像を作成し、上記作成された時間画像の再生を管理すると共に、上記コンテンツ画像をその撮影日時に応じて上記画面時間上でのタイミングで再生するよう管理し、その際、一定期間コンテンツ画像を表示しないときは、コンテンツ画像の代わりに上記天気情報に関する画像を再生するよう管理する。
【００１５】
上記目的を達成するため第１３の発明に係わるプログラムは、画像を含むコンテンツを再生するための画面時間に基づいてコンテツを再生するプログラムにおいて、上記画像のコンテンツから対応するコンテンツ画像を作成し、または、上記画面時間に対応する情報に関する画像を作成し、コンテンツ画像を表示しないとき期間が一定期間あるか否か判定し、上記判定の結果、上記一定期間の間に、コンテンツ画像を表示することがある場合には、上記コンテンツ画像をその撮影日時に応じて上記画面時間上でのタイミングで再生し、一方判定の結果、上記一定期間の間、コンテンツ画像を表示することがない場合には、コンテンツ画像の代わりに上記対応情報に関する画像を再生する。
【００１６】
第１４の発明に係わるプログラムは、上記第１３の発明において、上記画面時間を示す時間画像を作成し、上記コンテンツ画像または上記画面時間に対応する情報に関する画像と共に再生する。
また、第１５の発明に係わるプログラムは、上記第１３の発明において、外部データベースに接続し、上記画面時間に対応する情報を上記外部データベースより取得する。
第１６の発明に係わるプログラムは、上記第１３の発明において、上記画面時間に対応する情報は、天気に関する情報、ニュース、スポーツに関する情報の少なくともいずれか１つを含むものである。
第１７の発明に係わるプログラムは、上記第１３の発明において、上記画面時間の管理は、日単位または月単位で時間管理を行なう。
【００１７】
上記目的を達成するため第１８の発明に係わるプログラムは、画面時間に基づいてコンテツを再生するプログラムにおいて、ユーザー作成のデータから再生用コンテンツを作成し、または、上記画面時間に対応する情報に基づいてコンテンツを作成し、再生用コンテンツを表示しない期間が一定期間あるか否か判定し、上記判定の結果、上記一定期間の間に、再生用コンテンツを再生することがある場合には、上記再生用コンテンツをその作成日時に応じて上記画面時間上でのタイミングで再生し、一方判定の結果、上記一定期間の間、再生用コンテンツを再生することがない場合には、再生用コンテンツの代わりに上記画面時間に対応する情報に基づいてコンテンツを作成しこれを再生する。
【発明の効果】
【００１８】
本発明によれば、撮影時間に合わせて画像を再生するようなシーケンスで、撮影頻度に片寄りがある画像データを再生する際にも、ユーザーを退屈させないようにした再生装置、再生方法およびプログラムを提供することができる。
【発明を実施するための最良の形態】
【００１９】
以下、図面に従って本発明を適用した再生装置を用いて好ましい実施形態について説明する。本発明の一実施形態に係わる再生装置は、インターネットに接続可能であると共に、動画や静止画等を記憶可能であり、これらの画像の再生機能を有するパーソナルコンピュータによって構成される。
【００２０】
図１は、本実施形態に係わるパーソナルコンピュータ１０の構成を示すブロック図である。このパーソナルコンピュータ１０は、ＣＰＵ（Central Processing Unit）１１、ＲＯＭ（Read Only Memory）１３、操作部１４、記憶部１５、ＲＡＭ（Random Access Memory）１６、画像作成部１７、表示部１８、音声再生部１９、スピーカ部２０、通信部２１から構成される。パーソナルコンピュータ１０内のＣＰＵ１１、ＲＯＭ１３、記憶部１５、ＲＡＭ１６、画像作成部１７、音声再生部１９および通信部２１は、バス１９によって接続されている。また、パーソナルコンピュータ１０は、通信部２１およびインターネット３０等の通信網を介して外部データデータベース３１に接続されている。
【００２１】
パーソナルコンピュータ１０内のＣＰＵ１１は、フラッシュメモリ等で構成されるＲＯＭ１３に記憶された制御プログラムに従ってパーソナルコンピュータ１０の全体制御を行う。ＣＰＵ１１の内部には、再生管理部１２ａ、時間管理部１２ｂ、コンテンツ検索部１２ｃが設けられており、これらは実質的には、制御プログラムによって実行されるが、専用ハードウエアによって構成してもよい。
【００２２】
再生管理部１２ａは、コンテンツ、背景および後述する時間画像等の再生時間や順番を決め再生全体の管理を行なう。これらのコンテンツ、背景および時間画像等の再生にあたって、この再生装置は、管理された時間に沿って実行するが、時間管理部１２ｂはこの再生される画面上の時間管理を行なう。以降、画面上で進行する時間を画面時間とも称す。コンテンツ検索部１２ｃは、再生対象となる該当日（画面時間）に対応する作成日時を有するコンテンツを、パーソナルコンピュータ１０内の記憶部１５等と外部データベース３１から検索を行なう。また、この検索にあたっては、天気画面の表示用に該当日の天気データを検索する。
【００２３】
ＣＰＵ１１に接続された操作部１４は、キーボードやマウス等のユーザーインターフェースで構成され、種々の操作指令をパーソナルコンピュータ１０に入力する。画像作成部１７は、コンテンツ等のデータから表示用の画像を生成するハードウエアあり、時間画像作成部１７ａ、背景画像作成部１７ｂ、コンテンツ画像作成部１７ｃおよび天気画像作成部１７ｄから構成される。
【００２４】
時間画像作成部１７ａは、時間サークルの画像と、この時間サークルの表示時刻に合わせてコンテンツ等をサムネイル的に配列した画像を作成する作成部である。また、背景画像作成部１７ｂは、背景画像を作成する作成部である。コンテンツ画像作成部１７ｃは、時間画像の中にサムネイル的に表示される個々のコンテンツ等の作成部である。天気画像作成部１７ｄは、天気画面時に表示するための天気アニメを作成する。なお、前述の再生管理部１２ａは、天気画面時には、検索された天気データに基づき作成された天気アニメを再生する。この画像作成部１７には、表示部１８が接続され、画像作成部１７によって作成された画像が表示される。
【００２５】
記憶部１５は、種々のコンテンツのデータを記憶するための記憶部であり、ハードディスク等の大容量記憶装置で構成されている。この記憶部１５は、時間画像データＴ、静止画像データ、動画像データ、音声データ、選択画像データ、天気アニメデータ、効果音データ、文字データ等を記憶する。
【００２６】
音声再生部１９は、記憶部１５に記憶された音声データや効果音データ等を再生し、再生された音声はスピーカ部２０で音声出力される。また、ＲＡＭ１６は一時記憶領域として使用される。さらに、通信部２１は、インターネット３０等を通じて外部データベース３１等と送受信を行なう。外部データベース３１としては、天気詳細データ（Ｃ４）のデータベース、天気データ（Ｂ３）のデータベースと接続可能であり、その他、地図データベース、ブログデータベース、ニュースデータベース等の種々のデータベースと接続してもよい。また、文字・画像を格納したデータベースに限らず、ニュース等の音声データベースでもよい。
【００２７】
このように、本発明の一実施形態に係わる再生装置は、通常市販されているパーソナルコンピュータ１０であり、インターネット３０等を通じて外部のデータベース３１と接続されている。この再生装置は、これから説明する動作を実行するプログラムをＲＯＭ１３に記憶している。このプログラムに係わるフローチャートを説明する前に、再生装置における表示と再生動作について、図を用いて説明する。
【００２８】
まず、本実施形態において使用される時計画像の表示について図２を用いて説明する。この時計画像は表示部１８に表示され、年月日を選択するとき、および年月日の表示に使用される。まず、年をサークル状に表示する年サークルＴＹが表示画面１８ａに表示されている。この年サークルＴＹに沿って、１９９９年から各年が表示されており、この年の表示の中から、例えば、２００３年を選択すると、選択枠５１によって２００３年が枠表示される。なお、図２には、２００４年までしか表示されていないが、この年は適宜変更できる。
【００２９】
年を選択すると枠表示がなされると共に、月サークルＴＭが表示される。この月サークルＴＭに沿って、１月から１２月までの月が表示されており、この月の表示の中から、例えば、８月（図２ではAug.と表示）を選択すると、選択枠５２によってＡｕｇ．が枠表示される。この月の選択がなされ枠表示がなされると共に、日サークルＴＤが表示される。この日サークルＴＤに沿って、日を表すドットが表示されており、このドット表示の中から、例えば、２１日に相当するドットを選択すると、選択枠５３によって２１が枠表示される。この日選択がなされ枠表示がなされると共に、時間サークルＴＴが表示される。
【００３０】
このように、年から順次選択すると、月、日、時間の順にサークルが表示され、本実施形態における図示の例では、２００３年８月２１日が選択される。また、選択された年月日は、枠表示５１、５２、５３により表示されるので、選択された年月日を容易に確認することができる。なお、本実施形態においては、選択された年月日は、枠表示しているが、この枠表示に限らず、色を変更したり、点滅表示させたり種々の表示方法に変更できる。
【００３１】
次に、本実施形態におけるコンテンツの再生について、図３乃至図１０を用いて説明する。本実施形態においては、２００７年４月８日における沖縄旅行の思い出を回想するために順次コンテンツを再生する例を説明する。マルチコンテンツとしては、静止画Ｃ１、動画Ｃ２、天気詳細情報（ウエブ情報）Ｃ４、音声Ｃ５が再生表示される。その他、背景画像Ｂ２や背景音楽も時間と共に変更表示される。
【００３２】
コンテンツの再生にあたっては、まず前述したような年月の選択を行なう。この選択を行なうと、図３に示す画像が表示される（図３では、２００７年４月が選択された例）。日サークルＴＤの周囲に沿って、各種のコンテンツサムネイルＳＣがサムネイル表示されている。すなわち、コンテンツは作成した年月日に関する情報を有しており、この情報に基づいて、作成日に対応する位置に、コンテンツ情報画像がサムネイル表示される。これらの時計画像とコンテンツ情報のサムネイル画像とから時間画像が構成される。図３の例では、２００７年４月に、動画や静止画等が存在することから、日サークルＴＤの周囲にコンテンツサムネイルＳＣがサムネイル表示されている。コンテンツサムネイルＳＣは、コンテンツが画像の場合には縮小画像であるが、コンテンツが画像以外の場合には、シンボルマークで表示される。
【００３３】
次に、日を選択すると、図４に示す画像が表示される（図４では、２００７年４月８日が選択された例）。時間サークルＴＴの周囲に沿って、コンテンツサムネイルＳＣ１〜ＳＣ５がサムネイル表示される。スタート画面から、再生表示（スライドショー）を開始させると、画面時間を示すカーソルＴＣは、時間サークルＴＴを時間管理部１２ｂで管理する所定の表示速度で移動を開始する。表示速度としては、例えば、実際の６時間を１分で移動するように設定する。そして、画面時間が各コンテンツの作成された日時に達すると、原則、対応するコンテンツの再生を開始するようにする。ただし、画像コンテンツについては、少し前から薄い濃度で小サイズで再生を開始して、その撮影日時に達した時に最大の濃度とサイズにして、その後、縮小するように表示する。
【００３４】
カーソルＴＣが１２時に近づくと、図４に示すように、２００７年４月８日午前６時に撮影した静止画Ｃ１が次第に小さくなり、また濃度が薄くなりながらフェードアウトしていく。この静止画Ｃ１はサムネイル表示されていた静止画ＳＣ１に対応する画像である。また、１０時頃に撮影した動画Ｃ２は、画面はまだ大きく、また濃度は濃くはっきりと見える。この動画Ｃ２は、サムネイル表示されていた動画ＳＣ２に対応する画像である。
【００３５】
また、ウエブＳＣ４に対応するテキスト形式で詳細天気情報Ｃ４が表示画面１８ａの左側に表示される。また、図示されていないが、音声ＳＣ５に対応する音声が再生され、スピーカ部２１から流される。音声としては、例えば、この日の１２時頃に録音した友人との会話等がある。
【００３６】
さらに、背景画像の１つである背景画像Ｂ２は右に移動し、次第に消えていく。また、他の背景画像としては、天気画像Ｂ３が右下に表示される。この天気画像Ｂ３は、コンテンツ検索部１２ｃで当該日（この例では、２００７年４月８日）、かつ画像データ等に添付されているＧＰＳ情報に基づく位置情報に基づいて天気情報を、外部データベース３１から取得し、自動的に表示する。外部データベース３１の天気情報が細かければ、カーソルＴＣの示す時刻に対応して切り換えるようにする。
【００３７】
このように、表示画面１８ａやスピーカ部２１において、時計画像Ｔとサムネイル表示されるコンテンツ情報画像からなる時間画像、静止画Ｃ１、動画Ｃ２、音声Ｃ５からなるコンテンツ、および背景画像Ｂ２、天気画像Ｂ３等が再生表示される。また、再生表示にあたっては、２００７年４月８日０時からスタートし、その日の２４時まで、時計画像Ｔ上のカーソルＴＣの移動に応じて、時間管理部１２ｂの制御の下で、上述のコンテンツや背景画像が順次再生されていく。なお、これらのスライドショーの開始時刻は、カーソルＴＣのスタート位置をマウス等によって変更することができる。
【００３８】
図３に示した例では、日サークルＴＤの周囲にコンテンツサムネイルＳＣが存在していたが、当該月に画像が存在しない例を図５に示す。図５の例は、２００７年１２月に年月が設定された事例であり、この１２月には、画像等のコンテンツが存在しない。このような月において、図４に示すようなスライドショーを実行しても、何らコンテンツが再生されず、退屈な画面となってしまう。
【００３９】
そこで、本実施形態においては、このような月においては、図６乃至図８に示すように、その該当日に対応する天気情報を表示するようにした。この天気情報は、前述したように、外部データベース３１から該当日のデータを取得する。図６に示す例は、２００７年１２月１日であり、この日は天気情報としては雪であるとすると、天気画面として雪のアニメーション画像を表示する。
【００４０】
すなわち、天気画像作成部１７ｄは、雪の結晶形状をデザイン化した雪シンボルＷ１ａ等からなり、これがアニメーション表示される雪画像Ｗ１を作成する。そして、再生管理部１２ａがこの雪画像Ｗ１を再生する。アニメーション表示を行なうにあたって、雪シンボルＷ１ａが、画面１８ａ上で上から下に向けて移動することにより、雪が降っている雰囲気を醸しだすことができる。
【００４１】
また、図７の例は、２００７年１２月３日が該当日の例であり、この日は、外部データベース３１より取得した天気情報は雨だとする。この場合には、図示するように、雨をデザイン化した雨シンボルＷ２ａを含む雨画像Ｗ２が、天気画像作成部１７ｄによって作成され、アニメーション表示される。アニメーション表示によって、雨シンボルＷ２ａが、画面１８ａ上で上から下に向けて移動し、雨が降っている雰囲気を醸しだすことができる。
【００４２】
また、図８の例は、２００７年１２月９日が該当日の例であり、この日は、外部データベース３１より取得した天気情報は雷だとする。この場合には、図示するように、雷の稲妻をデザイン化した雷シンボルＷ３ａを含む雷画像Ｗ３が、天気画像作成部１７ｄによって作成され、アニメーション表示される。アニメーション表示によって、雷シンボルＷ３ａが、画面１８ａ上で上から下に向けて稲妻のように走り、稲妻が光っている雰囲気を醸しだすことができる。
【００４３】
また、図９の例は、２００７年１２月１３日が該当日の例であり、この日は、外部データベース３１より取得した天気情報は晴天だとする。この場合には、図示するように、太陽をデザイン化した晴天シンボルＷ４ａを含む晴天画像Ｗ４が、天気画像作成部１７ｄによって作成され、アニメーション表示される。アニメーション表示によって、晴天シンボルＷ４ａが、画面１８ａ上でふわふわと自在に移動し、晴天の雰囲気を醸しだすことができる。
【００４４】
このように、本実施形態においては、天気情報に基づいて、雪画像Ｗ１、雨画像Ｗ２、雷画像Ｗ３、晴天画像Ｗ４等の天気画像Ｗを切り替えて表示している。このため、撮影日順に画像等のコンテンツを表示する際に、長時間に亘って対応するコンテンツが存在しなくても、天気画像Ｗが表示されることから、ユーザーを退屈させることがない。また、天気画像が表示されることによって、スライドショー等で思い出を回想する際に手助けになる。なお、図９に示すように、詳細天気情報Ｃ４を天気画像Ｗと共にテキスト（文字）表示するようにしても良い。
【００４５】
また、天気情報に基づいて天気画像Ｗを表示するだけではなく、天気情報に基づいて効果音を合わせて再生するようにしても良い。すなわち、天気情報に基づいて記憶部１５に記憶された効果音データを読出し、これを音声再生部１９において再生し、スピーカ部２０から効果音をながすようにする。
【００４６】
効果音としては、図１０に示すように、雪の場合には雪の上を歩くときの音（サクサク・・・）、雨の場合には雨音（ザーザー・・・）、雷の場合には雷音（ゴロゴロ・・・）であり、また、晴れの日には鳥のさえずり（チュンチュン・・・）、強風の場合には風音（ヒューヒュー・・・）とする。このような効果音をながすことにより、単に視覚ばかりではなく、聴覚からも当時の天気を感じとることができる。
【００４７】
次に、図１１乃至図１３に示したフローチャートを用いて、上述の表示再生を行なわせる手順について説明する。本実施形態における再生と表示を行なうプログラムがスタートすると、まず、ユーザーにより開始日を設定する（Ｓ１）。図４の例では、２００７年４月８日０時００分が設定され、また図６の例では、２００７年１２月が設定されている。なお、この開始時は、０時００分や１日である必要はなく、例えば、マウスでカーソルＴＣを移動させる等により、ユーザーの希望する時刻や日を指定することが可能である。
【００４８】
次に、ユーザーにより条件設定を行なう（Ｓ２）。ここでの条件設定は、背景画像Ｂ２や背景音楽、天気情報Ｂ３について、条件設定を行なう。天気情報Ｂ３は外部データベース３１を用いて行なうので、天気情報を入手できるＵＲＬを設定するようにしてもよい。また、プログラムとしては、デフォルトとして一般的な背景画像や背景音楽を設定しておき、ユーザーが自由に変更できるようにしておいてもよい。なお、図４の例では、「日」単位で再生を行い、また図６の例では、「月」単位で再生することが設定される。
【００４９】
条件設定が終わると、次に、コンテンツ再生準備を行なう（Ｓ３）。このコンテンツ再生準備は、再生管理部１２ａの制御の下で、コンテンツ検索部１２ｃによって、図４の例では、該当日に関連するデータの検索等を行なう。すなわち、パーソナルコンピュータ１０内の記憶部１５等に記憶されている画像データ、音声データや文字データ等、および外部データベース３１から、該当日に関するデータを検索し、検索されたデータを再生のために記憶し、また再生の順序を決める処理である。なお、図６の例では、該当月について、該当日の場合と同様の準備を行なう。また、図４の例であっても、図６の例であっても、再生するコンテンツが存在しない場合には、天気画像Ｗの準備を行なう。詳しくは図１２を用いて後述する。
【００５０】
コンテンツ再生準備が終わると、次に、コンテンツの再生実行を行なう（Ｓ４）。ここでは、再生管理部１２ａの制御の下で、画像作成部１７が時間画像、背景画像（背景情報）および／または天気画像Ｗを作成し、また静止画、動画、ウエブ、音楽音声等のコンテンツの再生を行なう。また背景画像や天気画像の表示も行なう。ステップＳ３におけるコンテンツ再生準備では、該当日の一日分についてコンテンツの準備を行なっており、この一日分のコンテンツを順次再生する。なお、図６の例では、該当月について、該当日の場合と同様のコンテンツの再生を行なう。詳しくは図１３を用いて後述する。
【００５１】
次に、再生表示の終了指示がなされているかの判定を行なう（Ｓ６）。終了指示は、操作部１４によって行なわれる。判定の結果、判定の結果、終了指示がなされている場合には、本フローを終了する。一方、終了指示がなされていない場合には、次に、第２の日付けか否かの判定を行なう（Ｓ８）。この日付けは、図４の例では、該当日の翌日であり、例えば、図４の例で、最初にこのステップを通る場合には、４月９日か否かである。すなわち、コンテンツ再生実行Ｓ４を実行するたびに所定時間（例えば、５分）づつ、表示時刻が進められており、この累積により２４時に達すると翌日なることから、それまでの日付けより１日アップした日であるか否かの判定である。また図６の例では、その月の翌月であるか否かの判定である。
【００５２】
ステップＳ８における判定の結果、第２の日付けと一致しない場合には、ステップＳ４に戻り、コンテンツの再生実行を行なう。すなわち、ステップＳ４からステップＳ８を繰り返し実行することにより、該当日または該当月におけるコンテンツや天気情報の表示を行なう。一方、ステップＳ８における判定の結果、第２の日付けと一致した場合には、その上の単位の日付けに切り換える（Ｓ９）。すなわち、図４の例では、翌日に切り換え、時刻を０時００分に設定し、また、図６の例では、翌月に切り換える。ステップＳ９における切り替えが終わると、ステップＳ３に戻り、翌日または翌月のコンテンツの再生準備を行なう。
【００５３】
次に、ステップＳ３におけるコンテンツ再生準備のサブルーチンの詳細について、図１２を用いて説明する。まず、コンテンツ検索部１２ｃによって、該当日のコンテンツを記憶部１５から検索する（Ｓ１１）。すなわち、ユーザーは、デジタルカメラ、ビデオカメラ、携帯電話のカメラ等を用いて撮影した画像データや、ＩＣレコーダーによって録音した音声データ等を記憶部１５等の記憶領域に記憶しており、また、これらのデータには作成日時情報（撮影日時情報を含む）が添付されている。このため、コンテンツ検索部１２ｃは、作成日時情報に基づいて、該当日に作成された画像データや音声データ等を検索する。
【００５４】
続いて、該当日のコンテンツを外部データベース３１から検索する（Ｓ１２）。予め設定してあるＵＲＬに基づいて該当日の天気データ（Ｂ３）、天気詳細データ（Ｃ４）、地図データ、ブログデータ、ニュースデータ等を検索する。また、インターネット検索エンジンを用いて、該当日のデータを検索するようにしてもよい。
【００５５】
次に、ステップＳ１１およびＳ１２において検索し、取得したデータを記憶部１５の再生用の領域に記憶する（Ｓ１３）。続いて、検索された画像の中に本人による撮影画像コンテンツが存在するかを判定する（Ｓ１４）。判定の結果、この撮影画像コンテンツが存在している場合には、コンテンツの再生時間・順序を設定する（Ｓ１５）。すなわち、再生管理部１２ａは、取得した画像データ、音声データ、ウエブデータ、ブログデータ等に添付等されている作成日時情報に基づいて、再生時間（時間管理部１２ｂによって管理される表示時刻）を決め、この再生順序を設定する。
【００５６】
ステップＳ１４における判定の結果、撮影画像コンテンツが存在していない場合には、天気画面を設定する（Ｓ１６）。すなわち、外部データベース３１から入手した該当日の天気情報を基づいて、天気画像作成部１７ｄは、図６乃至図９に例示したような天気画像Ｗを作成する。ステップＳ１５またはＳ１６が終わると、元のルーチンに戻る。
【００５７】
次に、ステップＳ４におけるコンテンツ再生実行のサブルーチンの詳細について、図１３を用いて説明する。このコンテンツ再生実行は、再生管理部１２ａによって制御される。まず、表示時刻の設定を行なう（Ｓ２１）。表示時刻は、図４の例では、２００７年４月８日０時００分から開始され、例えば、５分刻みで設定され、このサブルーチンを通過するたびに、５分づつ表示時刻が進む。続いて、時間画像読出し・作成を行なう（Ｓ２２）。このサブルーチンでは、表示時刻に基づいて時計画像とコンテンツ情報画像とから構成される時間画像の作成を行なう。
【００５８】
次に、背景データ読出し・作成を行なう（Ｓ２３）。このステップでは、背景画像Ｂ２、天気画像Ｂ３等の画像の作成や、背景音楽等の音楽音声の作成が行なわれ、続いて、天気画面か否かの判定を行なう（Ｓ２４）。すなわち、ステップＳ１４において、撮影画像コンテンツがない場合には、ステップＳ１６において天気画面が設定されており、この天気画面が設定されているか否かの判定を行なう。
【００５９】
ステップＳ２４における判定の結果、天気画面が設定されていない場合には、当該日に属する全コンテンツ情報のサムネイル画像の作成を行なう（Ｓ２５）。続いて、撮影画像コンテンツの読出しと作成を行なう（Ｓ２６）。ここでは、記憶部１５に記憶されている画像データ、音声データ、テキストデータ等に基づいて再生用のコンテンツの作成を行なう。
【００６０】
一方、ステップＳ２４における判定の結果、天気画面であった場合には、天気データの検索を行なう（Ｓ３１）。これは、ステップＳ１３における外部データベース３１から該当日の情報検索をスキップしている場合には、ここで外部データベース３１にアクセスし、該当日の天気データを入手する。続いて、天気アニメ読出しを行なう（Ｓ３２）。すなわち、図６乃至図９に示したようなアニメーション表示を行なうためのデータの読出しを行なう。
【００６１】
次に、天気画像作成を行なう（Ｓ３３）。ここでは、該当日の天気データと天気アニメデータを用いて、天気画像作成部１７ｄは、天気画像を作成し、表示する。続いて効果音の再生を行なう（Ｓ３４）。すなわち、図１０に示すように、天気に対応した効果音のデータを記憶部１５から読出し、音声再生部１９で再生し、スピーカ部２０によって効果音をながす。
【００６２】
ステップＳ２６またはステップＳ３４が終わると、次に、文字コンテンツの読出しと作成を行なう（Ｓ２７）。ここでの文字コンテンツとしては、例えば、図９に示したような天気詳細情報Ｃ４がある。続いて、音楽または音声コンテンツの読出しと再生を行なう（Ｓ２８）。ここでは、ステップＳ２３等において、作成された背景音楽等の音楽音声や、音声Ｃ５等のデータの読出しと再生を行い、スピーカ部２０から流す。天気画像のＢＧＭとして音楽を再生しても良い。
【００６３】
次に、全体画像の作成を行なう（Ｓ２９）。ステップＳ２１で設定された表示時刻に基づいて作成された背景画像、時間画像、コンテンツおよび／または天気画像を合成して全体画像としている。続いて、この作成された全体画像の表示を行なう（Ｓ３０）。全体画像の表示を行なうと、元のルーチンに戻る。
【００６４】
このように、本実施形態においては、撮影日等の作成日時に沿ってコンテンツを再生する際に、再生する撮影画像等のコンテンツが存在しない場合には、天気画像を作成し、これを表示するようにしている。このため、長時間に亘って自分のコンテンツが再生されないような場合でも、ユーザーを退屈させることがない。また、背景画像ではなく、天気画像なので、画面に変化を出すことができ、また、当時の雰囲気を出すことができる。
【００６５】
また、天気画像であることから、スライドショー等において、回想するのに役立ち便利である。また、天気画像の表示にあたって、アニメーション表示を行なうようにしているので、臨場感をだすことができる。さらに、天気画像に合わせて効果音を再生するようにしているので、より臨場感を高めることができる。さらに、ネットワークを通じて外部データベース３１から天気情報を入手するようにしているので、再生装置側の負担がなく、また情報精度を高いという利点もある。また、天気情報としては、過去の天気情報ばかりでなく、将来の予測情報であっても良い。
【００６６】
なお、本実施形態においては、撮影画像が存在しない期間に天気画像を表示していたが、これに限らず、例えば、該当日のニュースのテキスト情報や株価情報、またニュースやスポーツ中継の動画等、画面時間（表示時刻のように時間管理部１２ｂによって制御される画面上の時間）に対応する情報に基づいて作成された画像であればよい。これらの画像も天気画像と同様に、外部のデータベース３１を検索して入手するようにすればよい。
【００６７】
また、本実施形態において、ＣＰＵ１１の処理に関しては、一部または全てをハードウエアで構成してもよい。逆に画像作成部のハードウエアをソフトウエアで構成してもよい。具体的な構成は設計事項である。プログラムを格納する記録媒体としては、本実施形態としてはフラッシュメモリを用いていたが、これに限らず、例えば、ＣＤ−ＲＯＭ、ＤＶＤ等の光学記録媒体、ＭＤ等の磁気記録媒体、テープ媒体、ＩＣカード等の半導体メモリでも勿論構わない。
【００６８】
さらに、本実施形態において、時間の表示にあたって、サークル表示としたが、これに限らず、直線、曲線等でも良く、日時の推移を表現できる形式であればよい。特に日時の推移が重要でなければ、この時間画像を省略してもよい。再生する画像等のコンテンツが存在しない期間か否かの判定として、本実施形態においては、図４に示す例では１日単位であり、また、図６に示す例では１月単位であるが、これに限らず、半日単位でも、週単位でも、半月単位で適宜変更することができる。この場合には、時間サークルの表示を適宜変更してもよい。
【００６９】
さらに、本実施形態において、ステップＳ１４において、撮影画像コンテンツがない場合に天気画面に設定していたが、撮影画像コンテンツ以外に、音声ＳＣ５およびウエブ情報ＳＣ４（天気詳細情報）等、ステップＳ１１やＳ１２における検索の結果、ユーザー指定のコンテンツがない場合に限り、天気画面を設定するようにしてもよい。
【００７０】
本発明の実施形態の説明にあたっては、パーソナルコンピュータに適用した例を挙げたが、これに限らず、例えば、インターネットに接続可能なテレビでも良い。いずれにしても、画像データを記憶し、再生可能な機器であれば本発明を適用できる。
【００７１】
また、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００７２】
【図１】本発明を適用した一実施形態に係わる再生装置の構成を示すブロック図である。
【図２】本発明の一実施形態に係わる再生装置で用いられる時計画像を示す図である。
【図３】本発明の一実施形態に係わる再生装置の表示画面において、当該月に画像（動画、静止画）が存在する場合の表示画面を示す図である。
【図４】本発明の一実施形態に係わる再生装置の表示画面におけるマルチコンテンツの表示を示す図であり、４月８日１２時の画面である。
【図５】本発明の一実施形態に係わる再生装置の表示画面において、当該月に画像（動画、静止画）が存在しない場合の表示画面を示す図である。
【図６】本発明の一実施形態に係わる再生装置の表示画面における天気情報表示を示す図であって、雪の場合を示す画面の図である。
【図７】本発明の一実施形態に係わる再生装置の表示画面における天気情報表示を示す図であって、雨の場合を示す画面の図である。
【図８】本発明の一実施形態に係わる再生装置の表示画面における天気情報表示を示す図であって、雷の場合を示す画面の図である。
【図９】本発明の一実施形態に係わる再生装置の表示画面における天気情報表示を示す図であって、晴天の場合を示す画面の図である。
【図１０】本発明の一実施形態に係わる再生装置において、天気に対応する効果音の関係を示す図である。
【図１１】本発明の一実施形態に係わる再生装置のメインフローを示すフローチャートである。
【図１２】本発明の一実施形態に係わる再生装置のコンテンツ再生準備のサブルーチンを示すフローチャートである。
【図１３】本発明の一実施形態に係わる再生装置のコンテンツ再生実行のサブルーチンを示すフローチャートである。
【符号の説明】
【００７３】
１０・・・パーソナルコンピュータ、１１・・・ＣＰＵ、１２ａ・・・再生管理部、１２ｂ・・・時間管理部、１２ｃ・・・コンテンツ検索部、１３・・・ＲＯＭ、１４・・・操作部、１５・・・記憶部、１６・・・ＲＡＭ、１７・・・画像作成部、１７ａ・・・時間画像作成部、１７ｂ・・・背景画像作成部、１７ｃ・・・コンテンツ画像作成部、１７ｄ・・・天気画像作成部、１８・・・表示部、１８ａ・・・表示画面、１９・・・音声制御部、２０・・・スピーカ部、２１・・・通信部、３０・・・インターネット、３１・・・外部データベース、５１・・・年表示、５２・・・月表示、５３・・・日表示、Ｂ２・・・背景画像、Ｂ３・・・天気画像、Ｃ１・・・静止画、Ｃ２・・・動画、Ｃ４・・・天気詳細情報（ウエブ）、Ｃ５・・・音声、ＳＣ１・・・静止画、ＳＣ２・・・動画、ＳＣ４・・・ウエブ、ＳＣ５・・・音声、Ｔ・・・時計画像、ＴＹ・・・年サークル、ＴＭ・・・月サークル、ＴＤ・・・日サークル、ＴＴ・・・時間サークル、ＴＣ・・・カーソル、
Ｗ・・・天気画像、Ｗ１・・・雪画像、Ｗ１ａ・・・雪シンボル、Ｗ２・・・雨画像、Ｗ２ａ・・・雨シンボル、Ｗ３・・・雷画像、Ｗ３ａ・・・雷シンボル、Ｗ４・・・晴天画像、Ｗ４ａ・・・晴天シンボル
【図１】
2009027334.tif 000003
【図２】
2009027334.tif 000004
【図３】
2009027334.tif 000005
【図４】
2009027334.tif 000006
【図５】
2009027334.tif 000007
【図６】
2009027334.tif 000008
【図７】
2009027334.tif 000009
【図８】
2009027334.tif 000010
【図９】
2009027334.tif 000011
【図１０】
2009027334.tif 000012
【図１１】
2009027334.tif 000013
【図１２】
2009027334.tif 000014
【図１３】
2009027334.tif 000015